(57)【特許請求の範囲】
【請求項１】
コンクリートの打ち込み仮枠を構成する構成仮枠材間に亘って備えつけられる横架具と、
この横架具に対して、アンカーボルトを垂直状態に保持する保持具とを備えており、
前記横架具が、構成仮枠材の上端面に支承される横架部と、この横架部の両側端部又はいずれか一方の側端部にあって、前記構成仮枠材の外側面に当接される係当部とを備えていると共に、
前記保持具が、アンカーボルトの上部側の挿通される筒部と、この挿通アンカーボルトを該筒部に固定する固定具とを備えていることを特徴とするアンカーボルトの仮保持具。
【請求項２】
コンクリートの打ち込み仮枠を構成する構成仮枠材間に亘って備えつけられる横架具が、２以上の、相互に組付け位置調節の可能な横架部を有する横架体の組み付けによって構成してあることを特徴とする請求項１記載に係るアンカーボルトの仮保持具。
【請求項３】
横架具に対して、アンカーボルトを垂直状態に保持する保持具が、前記横架具における横架方向に向けて移動自在に備えられていることを特徴とする請求項１記載に係るアンカーボルトの仮保持具。
【発明の詳細な説明】
【０００１】
【発明の属する技術分野】
この発明は、コンクリ−ト基礎などに対して、アンカ−ボルトを所定位置に、正確に位置づけて設け得るようにしたアンカ−ボルトの仮保持具の提供に関する。
【０００２】
【従来の技術】
布基礎などのコンクリ−ト基礎の構成にあっては、通例、土台などの取付けに用いられるアンカ−ボルトを、この構成されるコンクリ−ト基礎に対して一体に止着されるように設けている。
【０００３】
かかるアンカ−ボルトは、通例、コンクリ−ト基礎の打込み用の仮枠あるいはコンクリ−ト基礎を構成するフープ筋などの鉄筋に対して、前もって取付け用意し、この取付けアンカ−ボルトの上部が、打設コンクリ−トの天端面から上方に突き出すように、打設仮枠に対して基礎コンクリ−トの打ち込みをなすことで、コンクリ−ト基礎に対して止着設けるようにしていた。
【０００４】
また、かかるアンカ−ボルトは、仮枠に対して、打ち込まれた基礎コンクリ−トが硬化する前に、この打設コンクリ−ト面から、下部側を、この打設コンクリ−トに挿し入れることによって、コンクリ−ト基礎の天端面から上部側を所定寸法分上方に突き出した状態にしてセットすることで、このコンクリ−ト基礎に対して止着設けるようにしていた。
【０００５】
【発明が解決しようとする課題】
しかしながら、アンカ−ボルトを、所定位置に、しかも、構成されるコンクリ−ト基礎の天端面から、所定の突き出し寸法となるように、正確に位置づけて、これを仮枠材あるいは配筋中の鉄筋などに対して、確実に組付けるには、仮枠施工に際して、熟練者により、しかも多くの作業手間を要した仮枠施工を必要とする不都合があった。
【０００６】
また、かかる手法にあっては、仮枠施工後におけるコンクリ−トの打ち込みに際して、正しい位置に、しかも鉛直に組付け位置づけられているアンカ−ボルトに位置づれ、あるいは傾きを生じたり、突き出し寸法に不揃いを生ずるなどの難があった。
【０００７】
また、前記の打設コンクリ−トに対して、この打設コンクリ−トが充分に硬化する前に、アンカーボルトの下部側を、この打設コンクリ−ト内に挿し込むようにした前記のアンカ−ボルトの埋設手法にあっては、打設コンクリ−トに対して、アンカ−ボルトの挿し込み時期が早すぎた場合、アンカ−ボルトが打設コンクリ−トに対して沈み込むことがあり、これによって所定の突き出し寸法を構成コンクリ−ト基礎のアンカ−ボルトにもたらすことができない難があった。また、かかる際に、打設コンクリ−トに挿し入れたアンカ−ボルトが、経時的に傾いたり、倒れ込んだりすることがあり、その、いずれにあっても挿し込み設置されたアンカ−ボルトを、打設コンクリ−トが硬化するまでの間、充分に監視し、随時挿し込み設置されたアンカ−ボルトの差し込み姿勢の手直しをなす必要があった。
【０００８】
また、かかる打設コンクリ−トに対するアンカ−ボルトの挿し込み設置の手法にあっては、アンカ−ボルトの挿し込み設置されるコンクリ−トが既に硬化状態にある場合、アンカ−ボルトを、この打設コンクリ−トに対して容易、確実に、充分な深さに到るように挿し込み設置することができない難があり、しかも、打設コンクリ−トの天端面にクラックなどを生ずる難があった。
【０００９】
かかる点から、打設コンクリ−トに対して、アンカ−ボルトを挿し込み設置する手法にあっては、常に打設コンクリ−トの硬化状況を確認しながら、適時に、しかも、一気に、アンカ−ボルトを打設コンクリ−トに対して挿し込み設置をする必要があり、このため、熟練者による長年の勘に頼り、かつ、多くの人手をもって一気に処理をなす必要があった。
【００１０】
特に、かかる打設コンクリ−トに対するアンカ−ボルトの挿し込み設置にあっては、仮枠に対するコンクリ−トの打設が、各現場にあって、通例数回に亘ってなされることが多く、かかるコンクリ−トの打設の合間を縫って、打設コンクリ−トに対するアンカ−ボルトの挿し込み設置をなす必要があることとなり、このため、作業スケジュールの管理上、多くの不都合があった。
【００１１】
本発明は、かかる従来におけるアンカ−ボルトの組付け手法における不都合を解消し、コンクリ−ト基礎に設けられるアンカ−ボルトを、容易に、しかも正確に位置づけ得ると共に、この正確に位置づけられたアンカ−ボルトに位置づれなどを生ずることなく、アンカ−ボルトを、確実に、打設コンクリ−トに設け得るようにしたアンカ−ボルトの仮保持具の提供を目的としている。
【００１２】
【課題を解決するための手段】
本発明に係るアンカ−ボルトの仮保持具Ｈは、請求項１の発明に係るアンカ−ボルトの仮保持具Ｈを、コンクリートの打ち込み仮枠Ｋを構成する構成仮枠材Ｋａ間に亘って備えつけられる横架具１０と、この横架具１０に対して、アンカーボルト３０を垂直状態に保持する保持具２０とを備え、
前記横架具１０が、構成仮枠材Ｋａの上端面に支承される横架部１１と、この横架部１１の両側端部又はいずれか一方の側端部にあって、前記構成仮枠材Ｋａの外側面に当接される係当部１２とを備えていると共に、前記保持具２０が、アンカーボルト３０の上部側の挿通される筒部２１と、この挿通アンカーボルト３０を該筒部２１に固定する固定具２２とを備えている構成としてある。
【００１３】
また、請求項２の発明に係るアンカ−ボルトの仮保持具Ｈを、前記請求項１の発明に係るアンカ−ボルトの仮保持具Ｈにあって、コンクリートの打ち込み仮枠Ｋを構成する構成仮枠材Ｋａ間に亘って備えつけられる横架具１０が、２以上の、相互に組付け位置調節の可能な横架部１１を有する横架体１０Ｙ、１０Ｙの組み付けによって構成してある。
【００１４】
更に、請求項３の発明に係るアンカ−ボルトの仮保持具Ｈを、前記請求項１の発明に係るアンカ−ボルトの仮保持具Ｈにあって、横架具１０に対して、アンカーボルト３０を垂直状態に保持する保持具２０が、前記横架具１０における横架方向に向けて移動自在に備えられている構成としてある。
【００１５】
【発明の実施の形態】
以下、本発明に係るアンカ−ボルトの仮保持具Ｈの各実施の形態について詳細に説明する。
図１〜図６は、第１の実施の形態に係るアンカ−ボルトの仮保持具Ｈを示すものであって、図１では、当該アンカ−ボルトの仮保持具仮保持具Ｈを、仮枠Ｋに用いる状態を斜視で、図２では、これを仮枠Ｋに装着した状態を断面で、更に、図３では、その断面の向きを変えて示している。
また、図４では、かかるアンカ−ボルトの仮保持具Ｈを用いてアンカ−ボルトを仮枠Ｋに装着して、これにコンクリ−トを打設した状態を、更に、図５では、構成されたコンクリ−ト基礎に土台４２を取付けた状態を、更に、図６では、構成されるコンクリ−ト基礎４０’に対して、土台４２、柱４３などを備えつけた状態を、要部破断の斜視として示している。
【００１６】
図７及び図８は、第２の実施の形態に係るアンカ−ボルトの仮保持具Ｈを示すものであって、図７では、当該アンカ−ボルトの仮保持具Ｈを、コンクリ−トの打設されている仮枠Ｋに用いる状態を斜視で、また、図８では、この仮枠Ｋに打設されたコンクリ−ト４０に対してアンカ−ボルトを差し込んだ状態を断面として示している。
【００１７】
図９及び図１０は、第３の実施の形態に係るアンカ−ボルトの仮保持具Ｈを示すものであって、図９では、当該アンカ−ボルトの仮保持具Ｈを、仮枠Ｋに装着用いる状態を斜視で、図１０では、アンカ−ボルトの仮保持具Ｈをアンカ−ボルトと共に仮枠Ｋに装着した状態を断面で示している。
【００１８】
図１１及び図１２は、第４の実施の形態に係るアンカ−ボルトの仮保持具Ｈを示すものであって、図１１では、当該アンカ−ボルトの仮保持具Ｈを、仮枠Ｋに装着用いる状態を斜視で、図１２では、アンカ−ボルトの仮保持具Ｈをアンカ−ボルトと共に仮枠Ｋに装着した状態を断面で示している。
【００１９】
図１３及び図１４は、第５の実施の形態に係るアンカ−ボルトの仮保持具Ｈを示すものであって、図１３では、当該アンカ−ボルトの仮保持具Ｈを、仮枠Ｋに装着用いる状態を斜視で、図１４では、アンカ−ボルトの仮保持具Ｈをアンカ−ボルトと共に仮枠Ｋに装着した状態を断面で示している。
【００２０】
ここで、本発明の実施の形態に係るアンカ−ボルトの仮保持具Ｈは、コンクリートの打ち込み仮枠Ｋを構成する型枠パネル５０などの構成仮枠材Ｋａ間に亘って備えつけられる横架具１０と、この横架具１０に対して、アンカーボルト３０を垂直状態に保持する保持具２０とを備えた構成としてある。
【００２１】
このように構成されるアンカ−ボルトの仮保持具Ｈは、仮枠Ｋに対して、コンクリ−トの打設前に、アンカ−ボルト３０を、当該仮枠Ｋに対して、容易に、所期の位置に、しかも、所期の高さを備えたものとしてセッティングすることができる。
【００２２】
また、かかるアンカ−ボルトの仮保持具Ｈにセッティングされたアンカ−ボルト３０は、仮枠Ｋに対するコンクリ−トの打設に際しても、当初のセッティング位置からのずれ出し、傾倒、浮き上がり、あるいは沈み込みなどを生ずることがなく、当初のセッティングの状態を効果的に維持することができる。
【００２３】
更に、かかる構成よりなるアンカ−ボルトの仮保持具Ｈを用いて、打設コンクリ−トに対してアンカ−ボルトの挿し込み保持をなすようにした場合にあっては、コンクリ−トの打設後、直ちにアンカ−ボルトを、この打設コンクリ−トに対して挿し込みセットできると共に、この打設コンクリ−トに挿し込みセットされたアンカ−ボルトを、鉛直の状態に正確に保持し、且つ、この挿し込みセットされたアンカ−ボルトを、打設コンクリ−トに対して沈降させることなく確実に所期の突き出し寸法を備えたものとして設けることができる。
【００２４】
次いで、前記のアンカ−ボルトの仮保持具Ｈにあって、コンクリートの打ち込み仮枠Ｋを構成する型枠パネル５０などの構成仮枠材Ｋａ間に亘って備えつけられる横架具１０が、型枠パネル５０などの構成仮枠材Ｋａの上端面に支承される横架部１１と、この横架部１１の両側端部又はいずれか一方の側端部にあって、前記型枠パネル５０などの構成仮枠材Ｋａの外側面に当接される係当部１２とを備えている構成としたことを、他の典型的な実施の形態の一つとしている。
【００２５】
このように構成されるアンカ−ボルトの仮保持具Ｈにあっては、これを容易に仮枠Ｋに対して装着、用いることができると共に、このアンカ−ボルトの保持に用いられる仮保持具Ｈを、仮枠Ｋにおける型枠パネル５０などの構仮枠材Ｋａを連設するつなぎ板として機能させることができる。
【００２６】
更に、前記のアンカ−ボルトの仮保持具Ｈにあって、コンクリートの打ち込み仮枠Ｋを構成する型枠パネル５０などの構成仮枠材Ｋａ間に亘って備えつけられる横架具１０が、２以上の、相互に組付け位置調節の可能な横架部１１を有する横架体１０Ｙ、１０Ｙの組み付けによって構成したことを更に典型的な他の実施の形態の一つとしている。
【００２７】
このように構成されるアンカ−ボルトの仮保持具Ｈにあっては、仮枠Ｋにおけるコンクリ−トの打設間隙に変化がある場合にあっても、構成される各仮枠Ｋに対して、容易に、しかも確実に、仮保持具Ｈの取付けが可能とされ、この仮保持具Ｈを用いて、確実にアンカ−ボルト３０の仮枠Ｋに対する組付け、保持が可能とされる。
【００２８】
次いで又、前記のアンカ−ボルトの仮保持具Ｈにあって、横架具１０に対して、アンカーボルト３０を垂直状態に保持する保持具２０が、前記横架具１０における横架方向に向けて移動自在に備えられている構成としたことを、更に他の典型的な実施の形態の一つとしている。
【００２９】
このように構成されるアンカ−ボルトの仮保持具Ｈにあっては、この仮保持具Ｈを仮枠Ｋに装着した後、この仮保持具Ｈに備えつけられている保持具２０を、仮保持具Ｈの横架方向に移動することによって、仮枠Ｋに対してアンカ−ボルト３０のセッティングの位置決めをなすことができる。
【００３０】
更に又、前記のアンカ−ボルトの仮保持具Ｈにあって、横架具１０に対してアンカーボルト３０を垂直状態に保持する保持具２０が、アンカーボルト３０の上部側の挿通される筒部２１と、この挿通アンカーボルト３０を該筒部２１に固定する固定具２２とを備えている構成としたことを、更に他の典型的な実施の形態の一つとしている。
【００３１】
このように構成されるアンカ−ボルトの仮保持具Ｈにあっては、アンカ−ボルト３０を仮保持具Ｈに対して、容易に鉛直状態のままで、上下方向に移動することができ、しかも所定の高さ位置において、これを位置決めセットすることができる。
【００３２】
（１）  第１の実施の形態に係るアンカ−ボルトの仮保持具
先ず、図１〜図６に示される第１の実施の形態に係るアンカ−ボルトの仮保持具Ｈについて説明する。
この典型的な第１の実施の形態に係るアンカ−ボルトの仮保持具Ｈは、仮枠Ｋに対してコンクリ−トを打設する前に、当該仮枠Ｋに対して、アンカ−ボルトの仮保持具Ｈを取付け用意し、この仮保持具Ｈを用いて、アンカ−ボルト３０を、構成される仮枠Ｋに対して、所定位置に位置づけ保持し、かかるアンカ−ボルト３０を仮枠Ｋに組付け用意した後に、この仮枠Ｋに対して、コンクリ−ト４０を打ち込む構成としている。
【００３３】
ここで用いられる仮保持具Ｈは、構成される仮枠Ｋにおける天端上に載置支承される横架具１０と、この横架具１０上にあって、横架具１０の横架方向に対して移動可能に備えつけられる保持具２０とを備えた構成としてある。
【００３４】
この第１の実施の形態に係る仮保持具Ｈは、仮枠Ｋ、この図示例にあっては、仮枠材Ｋａとしての型枠パネル５０を用いた仮枠Ｋに対して、アンカ−ボルトの仮保持具Ｈを組み付け用いたものであり、例えば、型枠板を用いた仮枠Ｋ、フーチング打設用の型枠板などに対して、当該アンカ−ボルトの仮保持具Ｈを組み付け用いるようにしてあっても良い。
【００３５】
ここで示される仮枠Ｋは、根切り部分に、割りぐり石４４を配し、これに、捨コンクリート４５を打設すると共に、この捨コンクリート４５の天端に対して布基礎を構成する一対の型枠パネル５０、５０を仮枠材Ｋａとしての所定の間隔を設けて立設すると共に、この各型枠パネル５０、５０を控５１、根止め杭５２などで保持すると同時に、各型枠パネル５０、５０相互間につなぎ板５３を打ちつけることによって、この各型枠パネル５０、５０間に所定のコンクリ−ト４０の打ち込み隙間を構成するように連結している。
【００３６】
かかる仮枠Ｋの構成に用いられる型枠パネル５０は、その下端と、上端とに、外向きに張り出す、略水平な縁鍔５０ａを備えた構成としてあり、下端に備えられた縁鍔５０ａを、前記捨コンクリート４４の面に密着した状態で載置することによって、この型枠パネル５０を、当該捨コンクリート４４の面上に起立状態に備えつけると共に、上端に備えられた縁鍔５０ａ、５０ａ間に、つなぎ板５３を添装し、このつなぎ板５３の夫々の側端部分を、当該縁鍔５０ａ、５０ａに釘打ちすることによって、相互の型枠パネル５０、５０が連結される構成としてある。
【００３７】
従って、ここで構成される仮枠Ｋは、これを構成する各仮枠Ｋａ、Ｋａの各型枠パネル５０が、その上端に、水平な、しかも、相互に同一平面を構成する縁鍔５０ａ、５０ａを備えた構成としてあり、この各型枠パネル５０を構成している各縁鍔５０ａ、５０ａに横架具１０が都合良く載置、取付けられる構成としてある。
【００３８】
ここで、仮保持具Ｈを構成する横架具１０は、前記型枠パネル５０における各縁鍔５０ａ、５０ａの面に密着して載置される細長い板状の横架部１１と、この板状をなす横架部１１の両側端にあって、下方に略垂下状態に屈曲して構成されている板状をなす係当部１２とを備えた構成としてあり、仮枠Ｋを構成する各仮枠材Ｋａ、Ｋａ間に、この横架具１０を添装した際に、この横架具１０における係当部１２が、この仮枠Ｋを構成している型枠パネル５０における各縁鍔５０ａの外側の面に引っ掛かる構成としてある。
【００３９】
このように構成される仮保持具Ｈは、アンカ−ボルト３０の仮保持具Ｈとして用いられると同時に、仮枠Ｋにおける各仮枠材Ｋａ、特に、型枠パネル５０、５０相互の天端側の連結具として、前記つなぎ板５３と同様に用いることができる。
【００４０】
かかる点から、ここで用いられる仮保持具Ｈにおける横架具１０を、特に、鉄板、鋼板などの折り曲げ金物として用意し、この横架具１０を構成する係当部１２が、建て込まれる仮枠Ｋの各型枠パネル５０における夫々の縁鍔５０ａの側面に対して都合良く引っ掛かり、且つ、この横架具１０における各係当部１２、係当部１２間に、仮枠Ｋにおける各型枠パネル５０、５０、特に、その各縁鍔５０ａ、５０ａの側縁が、密に収まり入る構成と
することで、当該横架具１０を、各型枠パネル５０、５０相互の連設手段として用いることができる。
【００４１】
かかる横架具１０を構成する横架部１１は、この横架具１０の横架方向、即ち、各型枠パネル５０、５０間に亘る方向、更に具体的には、各係当部１２、係当部１２の備えられる側間に亘る方向に、ガイドスリット１３が、上下の面間を連通するように設けてあり、このガイドスリット１３を介して、アンカ−ボルト３０の上端側を、下方から上方に向けて挿通できる構成としてある。
【００４２】
かかる横架具１０と共に仮保持具Ｈを構成する保持具２０は、この横架具１０における板状をなす横架部１１、特に、この板状をなす横架部１１の幅方向に亘って備えられると共に、その両側端を、この横架部１１の幅方向の側面に係当するように垂下状態に屈曲した一対の係合片２３ａ、２３ａとして備えている摺動枠片２３と、この摺動枠片２３上に一体に設けられた筒部２１と、この筒部２１の周側面からネジ込まれる固定具２２とを備えた構成としてある。
【００４３】
即ち、この保持具２０を構成する摺動枠片２３は、横架具１０における板状をなす横架部１１に跨設される態様で、摺動枠片２３を、この横架部１１の板状面に摺接し、且つ、夫々の係合片２３ａ、２３ａを、この板状をなす横架部１１の側縁に係当するように組み付けられている。即ち、型枠パネル５０、５０間に備えつけられている横架具１０にあって、この各型枠パネル５０、５０間を、自在に移動できる構成としてあり、且つ、各係合片２３ａ、２３ａを、板状をなす横架部１１の側縁に対して、摺接係当することで、保持具２０を、横架具１０に対して安全に、移動可能な跨設状態としてある。
【００４４】
かかる構成よりなる摺動枠片２３の上面に対して、筒部２１を溶接などの手法で一体に設けると共に、この摺動枠片２３に、筒部２１に連通する孔を設け、この摺動枠片２３と筒部２１に連通して設けられている孔２４に対してアンカ−ボルト３０の上端側を挿通可能に構成してある。
【００４５】
また、この保持具２０を構成する筒部２１には、その外側部分に蝶ボルトなどの固定具２２を備えつけ、保持具２０における筒部２１に挿通されるアンカ−ボルト３０の保持をなす構成としている。
即ち、この図示例にあっては、保持具２０を構成する横架具１０の外周側に、固定具２２を構成する蝶ボルトの螺挿孔２５を設け、この螺挿孔２５から、前記孔２４内に向けて螺進退される蝶ボルトによって、この孔２４に挿通されているアンカ−ボルト３０の留めつけをなす固定具２２を構成するようにしてある。
【００４６】
かくして用意された仮保持具Ｈは、建て込まれている仮枠Ｋ、特に、型枠パネル５０、５０における上端の縁鍔５０ａに対して、この各型枠パネル５０、５０を連設しているつなぎ板５３と同様の手法で、載置し、これを仮枠Ｋに組付け用いる。
即ち、この仮保持具Ｈにおける横架部１１の板面を、前記縁鍔５０ａの面に載置すると共に、各係当部１２を、この縁鍔５０ａの各側縁に係当することで、仮枠Ｋに対して、この仮保持具Ｈの取付けをなす。
【００４７】
この仮枠Ｋに取付けられる仮保持具Ｈは、構成されるコンクリ−ト基礎４０’の所定の位置に、アンカ−ボルト３０が立設状態に備えられるように、仮枠Ｋに対して、前もって位置決めをして組付けられ、又は、仮枠Ｋにおける縁鍔５０ａ上を摺動させながら、アンカ−ボルト３０の設定位置を割り出し、これを位置決めセットするようにしてあり、通例は、建て込まれる各型枠パネル５０に設けられた墨線を目印として横架具１０の位置決め、あるいは移動位置決めをなす。
【００４８】
かくして仮枠Ｋの所定位置にセットされた仮保持具Ｈに備えつけられている保持具２０に対して、前もって、アンカ−ボルト３０を備えつけ、又は、この備えつけられた仮保持具Ｈの保持具２０に対して、アンカ−ボルト３０を挿通し、これを固定具２２を用いて締め付け固定すると共に、この保持具２０を、仮保持具Ｈを構成している横架具１０に対して移動させて、この保持具２０に備えつけられているアンカ−ボルト３０を、仮枠材Ｋａの構成するコンクリ−ト４０の打設空間の適所に移動セットする。
かかるアンカ−ボルト３０の、仮枠Ｋの幅方向に向けた位置決めは、仮枠施工に際して張り込まれる水糸に添うように、前記の保持具２０を、横架具１０に対して移動することでなす。
【００４９】
尚、かかる仮枠Ｋに対する仮保持具Ｈの組付けにあっては、仮保持具Ｈを構成する横架具１０に対して、前もって、アンカ−ボルト３０の挿通セットされた保持具２０を組付け用意し、このアンカ−ボルト３０のセットされた保持具２０を備えた横架具１０を、仮枠Ｋに対して直接組付けるようにしてあっても良い。
【００５０】
かくして仮枠Ｋにセットされた仮保持具Ｈにあっては、保持具２０における筒部２１に備えられている固定具２２を用いて、この固定具２２に挿通用意されているアンカ−ボルト３０を上下方向に移動調整して、このアンカ−ボルト３０の上端を、構成される基礎４０’の天端面から、所定寸法突き出すようにセットすると共に、このアンカ−ボルト３０の屈曲の向きを調整するようにしてセットする。
【００５１】
このようにして、仮保持具Ｈの組付け建て込まれている仮枠Ｋに対して、図４に示すようにコンクリ−ト４０を打設する。
このコンクリ−ト４０の打設は、建て込まれている型枠パネル５０における墨線５４を目やすとしてなされると共に、更に、この墨線５４上に設けられた墨線５５を利用してモルタル４１を塗り込んで、コンクリ−ト基礎４０’を構成する。
【００５２】
かくして構成された布基礎などのコンクリ−ト基礎４０’に対して、土台４２を、前記アンカ−ボルト３０を用いて組付けると共に、柱４３などの建て込みをなす。
【００５３】
（２）  第２の実施の形態に係るアンカ−ボルトの仮保持具
図７及び図８は第２の実施の形態に係るアンカ−ボルトの仮保持具Ｈを示している。
この第２の実施の形態に係るアンカ−ボルトの仮保持具Ｈは、前記第１の実施の形態に係るアンカ−ボルトの仮保持具Ｈと同一の構成の仮保持具Ｈを用いてアンカ−ボルトを仮枠Ｋ、特に、仮枠Ｋに打設したコンクリ−ト４０に対して挿し込み保持する手段として用いたものであって、かかる仮枠Ｋに、既に打設準備されているコンクリ−ト４０に対して、アンカ−ボルトの挿し込みセットをなす以外の構成を、前記第１の実施の形態に係るアンカ−ボルトの仮保持具Ｈの構成と同一、又は実質的に同一としてある。
また、仮枠Ｋに対する仮保持具Ｈのセッティング手法を、この前もって打設されているコンクリ−ト４０に対して、アンカ−ボルト３０の挿し込みセットをなすようにした以外の手法を、前記第１の実施の形態に係るアンカ−ボルトの仮保持具Ｈにおけると同一、又は実質的に同一としてある。
【００５４】
かかる点から、前記第１の実施の形態に係るアンカ−ボルトの仮保持具Ｈの構成と同一、又は実施的に同一の構成部分については、同一の番号を付して、その説明を省略する。
【００５５】
この第２の実施の形態に係るアンカ−ボルトの仮保持具Ｈにあっては、前記の第１の実施の形態に係るアンカ−ボルトの仮保持具Ｈの組付け仮枠Ｋと同様に、各仮枠材Ｋａ、例えば、各型枠パネル５０、５０などによって、仮枠Ｋの建て込みをなすと共に、この建て込まれた仮枠Ｋにおける型枠パネル５０の墨線５４を目やすとして、コンクリ−ト４０を打ち込み、この打ち込みコンクリ−ト４０が硬化する前に、この建て込まれた仮枠Ｋに対して仮保持具Ｈを装着し、この仮保持具Ｈを用いてアンカ−ボルト３０を、この打ち込み、コンクリ−ト４０に対して挿し込み保持するようにしてある。
【００５６】
即ち、建て込まれている仮枠Ｋに対して、前もってアンカ−ボルト３０をセットすることなく、一旦、コンクリ−ト４０の打ち込みをなした後、この打ち込みコンクリ−ト４０が硬化する前に、この打ち込みコンクリ−ト４０の天端面からアンカ−ボルト３０の下部側を挿し入れ、これを起立状態に保持することで、構成されるコンクリ−ト基礎４０’に、アンカ−ボルト３０を立設状態に備えつけるものであって、この打ち込みコンクリ−ト４０に対するアンカ−ボルト３０のセッティング手段として、仮保持具Ｈを用いるものである。
【００５７】
ここで用いられるアンカ−ボルトの仮保持具Ｈにあっては、この仮保持具Ｈにアンカ−ボルト３０を組付け用意すると共に、この仮保持具Ｈに組付け用意されたアンカ−ボルト３０の先端を、仮枠Ｋに前もって打ってある墨線と、この仮枠Ｋにおけるの打設空間に張り込まれている水糸などを目印として、打設されているコンクリ−ト４０の天端面から挿し入れ、この状態で、仮保持具Ｈを型枠Ｋ、特に、型枠パネル５０の縁鍔５０ａ面に取付けると共に、アンカ−ボルト３０を、コンクリ−ト４０に対して、所要深さとなるまで押し入れ、この押し入れ位置で、筒部２１の固定具２２を締め込むことによって、仮保持具Ｈに対して、アンカ−ボルト３０を、その垂設状態、即ち、鉛直の状態で、しかも沈み込まないように、当該コンクリ−ト４０が充分に硬化するまで保持するようになす。
【００５８】
（３）  第３の実施の形態に係るアンカ−ボルトの仮保持具
図９及び図１０は、第３の実施の形態に係るアンカ−ボルトの仮保持具Ｈを示すものである。
この第３の実施の形態に係るアンカ−ボルトの仮保持具Ｈにあっては、横架具１０を、一対の、相互に組付け位置を調節可能とした横架体１０Ｙ、横架体１０Ｙを用いて構成した以外の構成を、前記第１の実施の形態に係るアンカ−ボルトの仮保持具Ｈにおける構成と同一、又は実質的に同一の構成としてある。
また、構成されるアンカ−ボルトの仮保持具Ｈの取扱いにあっても、この仮保持具Ｈを構成する横架具１０を、長さ調節可能とした点以外において前記第１の実施の形態に係るアンカ−ボルトの仮保持具Ｈにおける取扱手法と同一、又は実質的に同一としてある。
【００５９】
かかる点から、前記第１の実施の形態に係るアンカ−ボルトの仮保持具Ｈにおける構成と同一、又は実施的に同一の構成部分については同一の番号を付してその説明を省略する。
【００６０】
ここで仮保持具Ｈを構成する横架具１０は、細長板状をなす横架部１１の一方の側を、略垂下状態に屈曲することで、板状の係当部１２を一連に備えた一対の横架体１０Ｙ、横架体１０Ｙを用意し、この一対の各横架体１０Ｙ、横架体１０Ｙにおける夫々の係当部１２、係当部１２が向き合うように、夫々の横架部１１、横架部１１を重ね合せ状になし、この重ね合せ横架部１１、横架部１１部における各重ね合せ幅を変更することによって、横架体１０Ｙ、横架体１０Ｙの構成する各係当部１２、係当部１２間の間隔を調整できるように構成してある。
【００６１】
即ち、上方に組付け用いられる横架体１０Ｙにおける横架部１１には、下方に組付け用いられる横架体１０Ｙの横架部１１の各側縁に係当する縁鍔１４、１４を、垂設状に設け、この各縁鍔１４、１４内に、下方に組付け用いられる横架体１０Ｙの横架部１１が収まり入る構成とすると共に、この各横架体１０Ｙ、横架体１０Ｙにおける横架部１１部分に開設されているガイドスリット１３、ガイドスリット１３を、互に連通する態様に設け、このガイドスリット１３、ガイドスリット１３に組み付け手段、この図示例にあっては、ガイドスリット１３の下方側から挿通されたボルト１５の突き出し端に蝶ナット１６を締めつけることで、この一対の横架体１０Ｙ、横架体１０Ｙを、長さ調節可能に組付けた構成としてある。
【００６２】
このように構成されたアンカ−ボルトの仮保持具Ｈにあっては、建て込まれる仮枠Ｋ、特に、型枠パネル５０、５０における各縁鍔５０ａ、５０ａの外側縁相互の間隔が均一でない場合にあっても、この各縁鍔５０ａの外側縁に対して、前記各横架体１０Ｙ、横架体１０Ｙの縁鍔１４を係当し、この各縁鍔５０ａの外側縁に対する縁鍔１４の係当状態において、前記蝶ナット１６をボルト１５に対して締めつけることで、仮保持具Ｈを、仮枠Ｋの上部に対して、緩みなく組付けることができる。
【００６３】
かくして用意された仮保持具Ｈを用いることによって、前記第１の実施の形態に係るアンカ−ボルトの仮保持具Ｈと同様の手法で、アンカ−ボルト３０を保持させ、建て込まれる仮枠Ｋに対してコンクリ−ト４０の打設をなし、又は、前記第２の実施の形態に係るアンカ−ボルトの仮保持具Ｈと同様の手法で、打設されたコンクリ−ト４０に対して、アンカ−ボルト３０を挿し入れ保持するようにして用いる。
【００６４】
（４）  第４の実施の形態に係るアンカ−ボルトの仮保持具
図１１及び図１２は第４の実施の形態に係るアンカ−ボルトの仮保持具Ｈを示すものである。
この第４の実施の形態に係るアンカ−ボルトの仮保持具Ｈにあっては、前記第１の実施の形態に係るアンカ−ボルトの仮保持具Ｈにおける横架具１０、特に、この横架具１０を構成する横架部１１に係当部１２を設けず、この横架部１１を仮枠Ｋに対して、直接、ビス、釘などを用いて、その位置調整をしながら止着、用い得るように構成した以外の構成を、前記の第１の実施の形態に係るアンカ−ボルトの仮保持具Ｈの構成と同一、又は実質的に同一の構成としている。
また、かかる横架部１１を、建て込まれる仮枠Ｋ、特に型枠パネル５０における縁鍔５０ａに対して、直接ビス、釘１８を用いて留めつけ用い得るようにした以外の取扱い手法を、前記第１の実施の形態に係るアンカ−ボルトの仮保持具Ｈの取扱い手法と同一、又は実質的に同一としてある。
【００６５】
かかる点から、前記第１の実施の形態に係るアンカ−ボルトの仮保持具Ｈにおけると同一、又は実質的に同一の構成部分については、同一の番号を付して、その説明を省略する。
【００６６】
この実施の形態に係るアンカ−ボルトの仮保持具Ｈにあっては、建て込まれる仮枠Ｋに対して組付けられる仮保持具Ｈにおける横架具１０、特に、この横架具１０を構成する横架部１１を、係当部１２を備えていない平たい板状のものとして用意すると共に、その両端部分に、夫々ビス、釘などの挿通孔１７を開設用意し、建て込まれる仮枠Ｋの建て込みに際して、又は、建て込み後に、この仮保持具Ｈを、仮枠Ｋに対して、ビス、釘１８を用いて止着用いる構成としてある。
【００６７】
従って、こゝで構成、用意される仮保持具Ｈは、これを、仮枠Ｋを構成する他のつなぎ板と同様に、各仮枠材Ｋａ、Ｋａの連設手段として用いることができる。
また、既に構成されている仮枠Ｋに対して、この仮枠Ｋを構成する各仮枠材Ｋａ、Ｋａ、特に、設置間隔の一致していない各型枠パネル５０、５０に対して、確実に対応し、且つ、これに止着して用いることができる。
【００６８】
かくして構成されるアンカ−ボルトの仮保持具Ｈにあっては、建て込まれた仮枠Ｋに対して、アンカ−ボルト３０を装着しない態様、又は、前もってアンカ−ボルト３０を装着した態様で、この建て込まれている仮枠Ｋにおける各型枠パネル５０、５０間に亘って、架設状態にセットし、次いで、これを、型枠パネル５０に設けた墨線、仮枠Ｋに張設された水糸などを利用してアンカ−ボルト３０の装着される筒部２１、又は、筒部２１に装着されているアンカ−ボルト３０が所定の位置に位置づけられる状態になすと共に、前記挿通孔１７を用いて、ビス、釘１８などで型枠パネル５０の縁鍔５０ａに止着するようにして、前記第１の実施の形態に係るアンカ−ボルトの仮保持具Ｈと同様に用いる。
【００６９】
また、ここで構成されるアンカ−ボルトの仮保持具Ｈを、建て込まれた仮枠Ｋに対して、前もってコンクリ−ト４０を打設し、この打設コンクリ−ト４０が硬化する前に、この打設コンクリ−ト４０に対するアンカ−ボルト３０の挿し込み保持手段として、前記第２の実施の形態に係るアンカ−ボルトの仮保持具Ｈと同様に用いる。
【００７０】
尚、図中１９は、アンカ−ボルト３０の上端部分に被嵌状態に装着用いる塩ビチューブなどのプラスチックチューブを示したものであって、前記で、仮保持具Ｈに挿し込み保持されているアンカ−ボルト３０の上端部分、特に土台４２などに対する取付けに際して用いられる雄ネジ部分に対して装着し、この雄ネジ部分に対するセメントなどの付着の防止をなす。
また、このチューブ１９を用いて、筒部２１に挿通されたアンカ−ボルト３０を、固定具２２の締め込みに先立って、仮に保持し、アンカ−ボルト３０を、所要の高さ位置にセットした後に、固定具２２を用いて、アンカ−ボルト３０を筒部２１に対して本留めをなすようにして用いても良い。
【００７１】
かかる点から、このチューブ１９は、例えば、軟質、あるいは半硬質のプラスチック製の筒体として構成し、このチューブ１９に対して、圧挿入されるアンカ−ボルト３０の上部、特に、雄ネジ部が、都合良く、仮留め状態に保持される構成、材質のものとして用意するのが好ましい。
【００７２】
（５）  第５の実施の形態に係るアンカ−ボルトの仮保持具
図１３及び図１４は第５の実施の形態に係るアンカ−ボルトの仮保持具Ｈを示している。
この第５の実施の形態に係るアンカ−ボルトの仮保持具Ｈにあっては、仮保持具Ｈを構成する横架具１０、特に、横架部１１を、一枚の細長い平板状の構成とし、第１の実施の形態に係るアンカ−ボルトの仮保持具Ｈにおけるような係当部１２を設けず、この横架部１１に、ビス、釘１８などの挿通孔１７を設けると共に、保持具２０を構成する筒部２１を、この横架部１１に対して直接溶接、一体とした以外の構成を、前記第１の実施の形態に係るアンカ−ボルトの仮保持具Ｈの構成と同一、又は実質的に同一としてある。
また、かかる筒部２１を横架部１１に対して一体に設けた点、及び、係当部１２に代えてビス、釘１８などの挿通孔１７を設けたことに伴う取扱い操作での異なり以外の取扱い操作を、前記第１の実施の形態に係るアンカ−ボルトの仮保持具Ｈと同一としてある。
【００７３】
かかる点から、前記第１の実施の形態に係るアンカ−ボルトの仮保持具Ｈの構成と同一、又は実質的に同一の構成部分については、同一の番号を付して、その説明を省略する。
【００７４】
この実施の形態に係るアンカ−ボルトの仮保持具Ｈにあっては、アンカ−ボルト３０の挿通保持される保持具２０を、横架具１０と一体に設け、横架具１０に対する保持具２０の移動組付けをなすことなく、この横架具１０自体を、仮枠Ｋに対して、当該仮枠Ｋの幅方向に移動調整しながらビス、釘１８などによって止着できる構成としてある。
【００７５】
即ち、仮保持具Ｈを構成する横架具１０を、係当部１２を備えていない平たい一枚の細長い板体としての横架部１１部分のみで構成すると共に、この横架部１１部分にガイドスリット１３を開設せず、この横架部１１部分に、直接保持具２０を構成する筒部２１を溶接し、この筒部２１と、横架部１１とにアンカ−ボルト３０の挿通孔２４を設け、この挿通孔２４に挿通されるアンカ−ボルト３０の締めつけ手段としての固定具２２を、該筒部２１に備えつけるようにしたものである。
【００７６】
かくして構成されるアンカ−ボルトの仮保持具Ｈにあっては、建て込まれた仮枠Ｋに対して、アンカ−ボルト３０を装着しない態様、又は、前もってアンカ−ボルト３０を装着した態様で、この建て込まれている仮枠Ｋにおける各型枠パネル５０、５０間に亘って、架設状態にセットし、次いで、これを、型枠パネル５０に設けた墨線、仮枠Ｋに張設された水糸などを利用してアンカ−ボルト３０の装着される筒部２１、又は、筒部２１に装着されているアンカ−ボルト３０が所定の位置に位置づけられる状態になすと共に、前記挿通孔１７を用いて、ビス、釘１８などで型枠パネル５０の縁鍔５０ａに止着するようにして、前記第１の実施の形態に係るアンカ−ボルトの仮保持具Ｈと同様に用いる。
【００７７】
また、ここで構成されるアンカ−ボルトの仮保持具Ｈを、建て込まれた仮枠Ｋに対して、前もってコンクリ−ト４０を打設し、この打設コンクリ−ト４０が硬化する前に、この打設コンクリ−ト４０に対するアンカ−ボルト３０の挿し込み保持手段として、前記第２の実施の形態に係るアンカ−ボルトの仮保持具Ｈと同様に用いる。
【００７８】
【発明の効果】
本発明に係るアンカ−ボルトの仮保持具Ｈは、前記の特長ある構成、特に、コンクリートの打ち込み仮枠Ｋを構成する型枠パネル５０などの構成仮枠材Ｋａ間に亘って備えつけられる横架具１０と、この横架具１０に対して、アンカーボルト３０を垂直状態に保持する保持具２０とを備えた構成としたことによって、
仮枠Ｋに対して、コンクリ−トの打設前に、アンカ−ボルト３０を、当該仮枠Ｋに対して、容易に、所期の位置に、しかも、所期の高さを備えたものとしてセッティングすることができる特長を有している。
【００７９】
また、かかるアンカ−ボルトの仮保持具Ｈにセッティングされたアンカ−ボルト３０は、仮枠Ｋに対するコンクリ−トの打設に際しても、当初のセッティング位置からのずれ出し、傾倒、浮き上がり、あるいは沈み込みなどを生ずることがなく、当初のセッティングの状態を効果的に維持することができる特長を有している。
【００８０】
更に、かかる構成よりなるアンカ−ボルトの仮保持具Ｈを用いて、打設コンクリ−トに対してアンカ−ボルトの挿し込み保持をなすようにした場合にあっては、コンクリ−トの打設後、直ちにアンカ−ボルトを、この打設コンクリ−トに対して挿し込みセットできると共に、この打設コンクリ−トに挿し込みセットされたアンカ−ボルトを、鉛直の状態に正確に保持し、且つ、この挿し込みセットされたアンカ−ボルトを、打設コンクリ−トに対して沈降させることなく確実に所期の突き出し寸法を備えたものとして設けることができる特長を有している。
【００８１】
次いで、前記のアンカ−ボルトの仮保持具Ｈにあって、コンクリートの打ち込み仮枠Ｋを構成する型枠パネル５０などの構成仮枠材Ｋａ間に亘って備えつけられる横架具１０が、型枠パネル５０などの構成仮枠材Ｋａの上端面に支承される横架部１１と、この横架部１１の両側端部又はいずれか一方の側端部にあって、前記型枠パネル５０などの構成仮枠材Ｋａの外側面に当接される係当部１２とを備えている構成としたことによって、
これを容易に仮枠Ｋに対して装着、用いることができると共に、このアンカ−ボルト３０の保持に用いられる仮保持具Ｈを、仮枠Ｋにおける型枠パネル５０などの構仮枠材Ｋａを連設するつなぎ板として用い得る特長を有している。
【００８２】
更に、前記のアンカ−ボルトの仮保持具Ｈにあって、コンクリートの打ち込み仮枠Ｋを構成する型枠パネル５０などの構成仮枠材Ｋａ間に亘って備えつけられる横架具１０が、２以上の、相互に組付け位置調節の可能な横架部１１を有する横架体１０Ｙ、１０Ｙの組み付けによって構成したことによって、
仮枠Ｋにおけるコンクリ−トの打設間隙に変化がある場合にあっても、構成される各仮枠Ｋに対して、容易に、しかも確実に、仮保持具Ｈの取付けが可能とされ、この仮保持具Ｈを用いて、確実にアンカ−ボルト３０の仮枠Ｋに対する組付け、保持が可能とされる特長を有している。
【００８３】
次いで又、前記のアンカ−ボルトの仮保持具Ｈにあって、横架具１０に対して、アンカーボルト３０を垂直状態に保持する保持具２０が、前記横架具１０における横架方向に向けて移動自在に備えられている構成としたことによって、
この仮保持具Ｈを仮枠Ｋに装着した後、この仮保持具Ｈに備えつけられている保持具２０を、仮保持具Ｈの横架方向に移動することによって、仮枠Ｋに対してアンカ−ボルト３０のセッティングの位置決めをなすことができる特長を有している。
【００８４】
更に又、前記のアンカ−ボルトの仮保持具Ｈにあって、横架具１０に対してアンカーボルト３０を垂直状態に保持する保持具２０が、アンカーボルト３０の上部側の挿通される筒部２１と、この挿通アンカーボルト３０を該筒部２１に固定する固定具２２とを備えている構成としたことによって、
アンカ−ボルト３０を仮保持具Ｈに対して、容易に鉛直状態のままで、上下方向に移動することができ、しかも所定の高さ位置において、これを位置決めセットすることができる特長を有している。
【図面の簡単な説明】
【図１】  第１の実施の形態に係るアンカ−ボルトの仮保持具Ｈの仮枠Ｋに対する組付け前の状態を示す斜視図
【図２】  同仮枠Ｋに仮保持具Ｈとアンカ−ボルト３０を備えつけた状態の断面図
【図３】  同切断面を異にして示す拡大断面図
【図４】  同コンクリ−ト４０の打設した状態の拡大断面図
【図５】  同構成されたコンクリ−ト基礎４０’に対して土台４２を取付けた状態を示す拡大断面図
【図６】  同構成されたコンクリ−ト基礎４０’に土台、柱などの組付け状態を示す要部斜視図
【図７】  第２の実施の形態に係るアンカ−ボルトの仮保持具Ｈを、仮枠Ｋに組付ける前の状態を示す斜視図
【図８】  同仮枠Ｋに仮保持具Ｈとアンカ−ボルト３０とを備えつけた状態の断面図
【図９】  第３の実施の形態に係るアンカ−ボルトの仮保持具Ｈを、仮枠Ｋに組付ける前の状態を示す斜視図
【図１０】  同仮枠Ｋに仮保持具Ｈとアンカ−ボルト３０とを備えつけた状態の断面図
【図１１】  第４の実施の形態に係るアンカ−ボルトの仮保持具Ｈを、仮枠Ｋに組付ける前の状態を示す斜視図
【図１２】  同仮枠Ｋに仮保持具Ｈとアンカ−ボルト３０とを備えつけた状態の断面図
【図１３】  第５の実施の形態に係るアンカ−ボルトの仮保持具Ｈを、仮枠Ｋに組付ける前の状態を示す斜視図
【図１４】  同仮枠Ｋに仮保持具Ｈとアンカ−ボルト３０とを備えつけた状態の断面図
【符号の説明】
１０  横架具
１０Ｙ  横架体
１１  横架部
１２  係当部
２０  保持具
２１  筒部
２２  固定具
３０  アンカーボルト
４０  打込みコンクリート
４０’  コンクリート基礎
Ｋ  仮枠
Ｋａ  仮枠材
【図１】
0003640455.tif 000002
【図２】
0003640455.tif 000003
【図３】
0003640455.tif 000004
【図４】
0003640455.tif 000005
【図５】
0003640455.tif 000006
【図６】
0003640455.tif 000007
【図７】
0003640455.tif 000008
【図８】
0003640455.tif 000009
【図９】
0003640455.tif 000010
【図１０】
0003640455.tif 000011
【図１１】
0003640455.tif 000012
【図１２】
0003640455.tif 000013
【図１３】
0003640455.tif 000014
【図１４】
0003640455.tif 000015